(57)【要約】【課題】搬送経路を平面視で小さな半径で曲げられるフレキシブルベルトを提供する。【課題手段】ゴム系材料を素材とする無端状の可撓層８に、その幅方向へ直線的に延びる多数の補強材９を周回方向へ並び且つ可撓層８の厚み方向に２列にわたって内装し、この補強材９で可撓層８の幅方向縁部に対する中央部の下方への撓みを抑える。  更に、厚地平織物よりなる張力伝達層１１を、可撓層８の幅方向中央部にその周方向全長にわたって、２列の補強材９の間に位置するように内装し、この張力伝達層１１により左右への屈曲性を阻害せずにベルト長手方向の強度を確保する。【選択図】図１
2008013351.tif 000002
【特許請求の範囲】
【請求項１】
ゴム系材料を素材とする無端平帯状の可撓層と、該可撓層の幅方向中央部に周方向全長にわたって内装した厚地平織物よりなる張力伝達層と、可撓層に周方向へ所定間隔で内装され且つそれぞれが可撓層幅方向に延びる多数の線状の補強材とを備えてなることを特徴とするフレキシブルベルト。
【請求項２】
ゴム系材料を素材とする無端平帯状の可撓層と、該可撓層の幅方向中央部に周方向全長にわたって内装した厚地平織物よりなる張力伝達層と、可撓層の内周面寄りの部位に周方向へ所定間隔で内装され且つそれぞれが可撓層幅方向に延びる多数の線状の補強材と、可撓層の外周面寄りの部位に周方向へ所定間隔で内装され且つそれぞれが可撓層幅方向に延びる多数の線状の補強材とを備え、張力伝達層が、可撓層の内周面寄りの補強材の列と可撓層の外周面寄りの補強材の列との間に介在していることを特徴とするフレキシブルベルト。
【発明の詳細な説明】
【技術分野】
【０００１】
本発明は動く歩道などの搬送装置に用いるフレキシブルベルトに関するものである。
【背景技術】
【０００２】
多数の利用者を連続的に輸送する動く歩道には、多数の金属製パレットを一定の経路に沿って循環移動させるものと、無端状のフレキシブルベルトを周回させるものとがある。
【０００３】
フレキシブルベルトは左右に比較的容易に弾性変形させることができるので、搬送経路の平面視が曲がった動く歩道（特許文献１参照）や、これに見合うフレキシブルベルトが提案されている（特許文献２参照）。
【０００４】
特許文献１の動く歩道は、図３に示すようにＡ地点からＢ地点へ向けて円弧を描く搬送経路の内側（凹湾曲側）に配置した複数のガイドローラ１により、無端状ベルト２の側面を支える構成を採っている。
【０００５】
特許文献２のフレキシブルベルトは、図４に示すようにゴム系材料を素材とする無端状の可撓層３に、その幅方向へ直線的に延びる多数の補強材（鋼線）４を周方向へ等間隔に且つ可撓層３の厚み方向に２列にわたって内装した構成を採っており、これら補強材４で可撓層３の幅方向縁部に対する中央部の下方への撓みを抑えている。
【０００６】
また、可撓層３の利用者が載る面には、周方向へ延びる溝５がベルト幅方向に等間隔に形作ってある。
【０００７】
更に、可撓層３の利用者が載らない面、すなわち、ベルト周回用のプーリ（図示せず）に巻き掛けられる面の幅方向中央部には、可撓層３の周方向全長にわたって延びる凸部６が、可撓層３と同じ材料により一体的に形作ってある。
【０００８】
この凸部６には、複数の鋼線を集合させた縦通材７が、可撓層３に沿うように無端状に内装してあり、当該縦通材７によってベルト周方向への引張強度を保持している。
【特許文献１】特開２００４−１３１２０６号公報
【特許文献２】特開２００２−０２００７０号公報
【発明の開示】
【発明が解決しようとする課題】
【０００９】
しかしながら、図４に示すフレキシブルベルトでは、複数の鋼線を集合させた縦通材７を構成要素としているため、当該フレキシブルベルトを用いた搬送経路を平面視で小さな半径で曲げることが難しい。
【００１０】
また、平帯状の可撓層３に対して凸部６を付加した形状であるため、製作工程も複雑で、しかも、凸部６の分だけ単位長さあたりのゴム系材料の体積が増えることになる。
【００１１】
本発明は上述した実情に鑑みてなしたもので、搬送経路を平面視で小さな半径で曲げられるフレキシブルベルトを提供することを目的としている。
【課題を解決するための手段】
【００１２】
上記目的を達成するため本発明は、ゴム系材料を素材とする無端平帯状の可撓層と、該可撓層の幅方向中央部に周方向全長にわたって内装した厚地平織物よりなる張力伝達層と、可撓層に周方向へ所定間隔で内装され且つそれぞれが可撓層幅方向に延びる多数の線状の補強材とを備えた構成を採る。
【００１３】
あるいは、ゴム系材料を素材とする無端平帯状の可撓層と、該可撓層の幅方向中央部に周方向全長にわたって内装した厚地平織物よりなる張力伝達層と、可撓層の内周面寄りの部位に周方向へ所定間隔で内装され且つそれぞれが可撓層幅方向に延びる多数の線状の補強材と、可撓層の外周面寄りの部位に周方向へ所定間隔で内装され且つそれぞれが可撓層幅方向に延びる多数の線状の補強材とを備え、張力伝達層が、可撓層の内周面寄りの補強材の列と可撓層の外周面寄りの補強材の列との間に介在している構成を採る。
【００１４】
すなわち、多数の補強材で可撓層の幅方向縁部に対する中央部の下方への撓みを抑え、張力伝達層によって可撓層長手方向（周方向）の強度を保持する。
【発明の効果】
【００１５】
本発明のフレキシブルベルトによれば、可撓材幅方向に延びる線状の補強材で、可撓層の幅方向縁部に対する中央部の下方への撓みを抑え、可撓層の幅方向中央部に周方向全長にわたって内装した厚地平織物よりなる張力伝達層で、可撓層長手方向（周方向）の強度を保持するので、左右への屈曲性が良く、フレキシブルベルトを用いた搬送経路を平面視で小さな半径で曲げられることができ、単位長さあたりのゴム系材料の体積を減らすこともできる、という優れた効果を奏し得る。
【発明を実施するための最良の形態】
【００１６】
以下、本発明の実施の形態を図面に基づき説明する。
【００１７】
図１及び図２は本発明のフレキシブルベルトの一例でありゴム系材料を素材とする無端状の可撓層８に、その幅方向へ直線的に延びる多数の補強材（ピアノ線）９を周回方向へ並び且つ可撓層８の厚み方向に２列にわたって内装し、これらの２列の補強材９で可撓層８の幅方向縁部に対する中央部の下方への撓みを効果的に抑えている。
【００１８】
ベルト周方向に隣接する補強材９は、相互にほぼ線接触した状態、もしくは当該補強材９の線径を上回らない程度の間隔をとるようにしてあり、ベルト幅方向（左右）及び厚み方向の屈曲性を担保している。
【００１９】
また、可撓層８の利用者が載る面には、周回方向へ延びる溝１０がベルト幅方向に等間隔に形作ってある。
【００２０】
更に、帆布などの厚地平織物よりなる張力伝達層１１を、前記可撓層８の幅方向中央部にその周方向全長にわたって、２列の補強材９の間に位置するように内装し、この張力伝達層１１により左右への屈曲性を阻害せずにベルト長手方向（周方向）の強度を確保している。
【００２１】
つまり、フレキシブルベルトを曲げるために可撓層８の側面をガイドローラ１で支えた場合、厚地平織物よりなる張力伝達層１１には鋼線のような復元力が生じないため、当該フレキシブルベルトを用いた搬送経路を平面視で小さな半径で曲げることができる。
【００２２】
しかも、既に提案されている図４のフレキシブルベルトの凸部６に相当する部位がないので、その分だけ単位長さあたりのゴム系材料の体積を減らせるし、製作工程の簡略化も図れる。
【００２３】
なお、本発明のフレキシブルベルトは、上述した実施の形態のみに限定されるものではなく、本発明の要旨を逸脱しない範囲において変更を加え得ることは勿論である。
【産業上の利用可能性】
【００２４】
本発明のフレキシブルベルトは、様々な搬送装置に適用できる。
【図面の簡単な説明】
【００２５】
【図１】本発明のフレキシブルベルトの一例を示す幅方向部分断面図である。
【図２】図１のＩＩ−ＩＩ矢視図である。
【図３】既に提案されている動く歩道の平面視概念図である。
【図４】既に提案されているフレキシブルベルトの幅方向断面図である。
【符号の説明】
【００２６】
８  可撓層
９  補強材
１１  張力伝達層
【図１】
2008013351.tif 000003
【図２】
2008013351.tif 000004
【図３】
2008013351.tif 000005
【図４】
2008013351.tif 000006